(57)【要約】【課題】  制御が複雑になることなく簡便で安価に構成することができ、広い波長帯域に渡って光周波数変動を防止し高い伝送品質が得られる光送信器を得る。【解決手段】  制御手段９は、ＥＡ変調器８に供給されるキャリア光の波長に応じてＥＡ変調器８が最適な温度条件になるような温度設定情報を出力し、温度制御回路１０は、その温度設定情報に応じてＥＡ変調器８の温度を調整する。ＥＡ変調器８に供給されるキャリア光の波長に応じて、ＥＡ変調器８を最適な温度条件に調整することにより、広い波長帯域に渡って光周波数変動を防止し、高い伝送品質を得ることができることから、ＥＡ変調器８の使用波長帯域を広げることができる。また、光周波数変動の防止を目的として、ＥＡ変調器８に供給されるバイアス電圧の制御を行わないので、制御が複雑になることなく、簡便で安価に構成することができる。【選択図】        図１
2005045548.tif 000002
【特許請求の範囲】
【請求項１】
バイアス電圧に電気信号に応じた変調信号を重畳して印加電圧を生成する印加電圧生成手段と、
波長設定情報に応じた波長のキャリア光を発生するキャリア光発生手段と、
上記印加電圧生成手段により生成された印加電圧に応じて上記キャリア光発生手段により発生されたキャリア光を吸収することにより強度変調された信号光を出力する電界吸収型光変調手段と、
上記キャリア光発生手段に所望の波長に応じた波長設定情報を出力すると共に、その所望の波長に応じた上記電界吸収型光変調手段の最適な温度条件となる温度設定情報を出力する制御手段と、
上記制御手段により出力された温度設定情報に応じて上記電界吸収型光変調手段の温度を調整する温度調整手段とを備えた光送信器。
【請求項２】
制御手段により設定される温度条件を監視し、その設定される温度条件が電界吸収型光変調手段に設定可能な温度範囲を超えないように抑制する監視手段を備えたことを特徴とする請求項１記載の光送信器。
【請求項３】
制御手段は、波長設定情報の変化と温度設定情報の変化との関係が、一次関数の関係にあると見なして、波長設定情報から温度設定情報を生成することを特徴とする請求項１記載の光送信器。
【請求項４】
請求項１記載の第１の光送信器と第１の光受信器とを有する第１の端局装置と、
請求項１記載の第２の光送信器と第２の光受信器とを有する第２の端局装置と、
上記第１の光送信器と上記第２の光受信器間とを接続する第１の光伝送路と、
上記第２の光送信器と上記第１の光受信器間とを接続する第２の光伝送路とを備えた光伝送システム。
【請求項５】
第１の光送信器は、伝送情報に誤り訂正符号を付加した信号光を送信し、
第２の光受信器は、第１の光伝送路を通じて受信される誤り訂正符号が付加された伝送情報を復号化し、その伝送情報の誤り訂正時の誤り訂正数を伝送誤り情報として生成し、
第２の光送信器は、上記第２の光受信器により生成された伝送誤り情報に応じた信号光を送信し、
第１の光受信器は、第２の光伝送路を通じて受信される伝送誤り情報を上記第１の光送信器に供給し、
上記第１の光送信器の制御手段では、供給される伝送誤り情報に応じて温度条件を設定することを特徴とする請求項４記載の光伝送システム。
【発明の詳細な説明】
【技術分野】
【０００１】
この発明は、電界吸収型光変調器を用いた光送信器および光伝送システムに関するものである。
【背景技術】
【０００２】
近年、光伝送システムにおいて大容量化の要求は高まるばかりである。この中で光ケーブルにより複数の情報を効率良く伝送する技術として、波長分割多重光伝送技術がある。波長分割多重光伝送技術は、複数の信号をそれぞれ波長が異なる信号光に割り当て（分割）、それらを多重化して２本の光ファイバにより双方向に伝送するものである。
この波長分割多重伝送技術を実現するために、外部変調方式の光送信器が用いられることが多い。この外部変調方式を実現する光変調器の一つに電界吸収型光変調器（以降、ＥＡ（Ｅｌｅｃｔｒｏ  Ａｂｓｏｒｐｔｉｏｎ）変調器と言う）が用いられている。このＥＡ変調器は、印加電圧に応じて入力されるキャリア光を吸収して光パルスの信号光を生成するが、光パルスを生成する際にパルスの立ち上がり部分および立ち下がり部分で光周波数変動（チャープ）が発生する。
この光周波数変動を表すパラメータが、チャープ係数αとして定義されている。この光周波数変動により光伝送路の持つ波長分散特性の影響で、伝送後の光パルスは歪みを生じ、伝送距離が制限される一因となっている。
【０００３】
そのため、最近ではこのチャープ係数αを任意に設定可能にするＥＡ変調器の駆動方法が提案されている。任意のチャープ係数αに設定するためには、ＥＡ変調器に印加されるバイアス電圧を変化させることが挙げられるが、バイアス電圧を変化させると、光出力波形のデューティ（Ｄｕｔｙ）、消光比および出力光パワーが変動してしまう。そのため、これらのパラメータが変動しないよう、光送信器において出力される信号光の光周波数変動量を検出し、それに合わせてバイアス電圧を変化させることで、チャープ係数を任意に制御し、最適な伝送特性が得られるようにしている（例えば、特許文献１参照）。
【０００４】
【特許文献１】特開平９−１７９０７９号公報
【発明の開示】
【発明が解決しようとする課題】
【０００５】
従来の光送信器は以上のように構成されているので、ＥＡ変調器に印加されるバイアス電圧を変化させることで任意のチャープ係数を得る方式なので、波長分割多重方式のシステムにそのＥＡ変調器を適用した場合に、個々の波長において伝送特性を最適化するには駆動条件のパラメータを複雑に制御する必要があり、パラメータ制御を行う回路を追加することで装置が大規模化し、小型化が困難となる課題があった。
また、光周波数変動は、ＥＡ変調器に入力されるキャリア光の波長にも依存し、そのキャリア光の波長範囲に応じて、その波長に適した複数の種類の異なるＥＡ変調器を用意する必要があり、波長範囲に併せて複数の予備カードを用意する必要があるため、システム的に高価になる課題があった。
さらに、１台のある種類のＥＡ変調器を例とすると、入力されるキャリア光の波長が、最も高い伝送特性を得ることができる波長帯からずれるに従って、キャリア光の波長とＥＡ変調器におけるバンドギャップを与える波長とにずれが生じるため、同じバイアス電圧であってもチャープ係数が変化するため、伝送特性が劣化する課題があった。
【０００６】
この発明は上記のような課題を解決するためになされたもので、第１の目的は、制御が複雑になることなく簡便で安価に構成することができ、広い波長帯域に渡って光周波数変動を防止し高い伝送品質が得られる光送信器および光伝送システムを得るものである。
【課題を解決するための手段】
【０００７】
この発明に係る光送信器は、波長設定情報に応じた波長のキャリア光を発生するキャリア光発生手段に所望の波長に応じた波長設定情報を出力すると共に、その所望の波長に応じた電界吸収型光変調手段の最適な温度条件となる温度設定情報を出力する制御手段と、その温度設定情報に応じて電界吸収型光変調手段の温度を調整する温度調整手段とを備えものである。
【発明の効果】
【０００８】
この発明は、波長設定情報に応じた波長のキャリア光を発生するキャリア光発生手段に所望の波長に応じた波長設定情報を出力すると共に、その所望の波長に応じた電界吸収型光変調手段の最適な温度条件となる温度設定情報を出力する制御手段と、その温度設定情報に応じて電界吸収型光変調手段の温度を調整する温度調整手段とを備えるように構成したので、電界吸収型光変調手段に供給されるキャリア光の波長に応じて、その電界吸収型光変調手段を最適な温度条件に調整することにより、広い波長帯域に渡って光周波数変動を防止し、高い伝送品質を得ることができることから、電界吸収型光変調手段の使用波長帯域を広げることができる。また、光周波数変動の防止を目的として、電界吸収型光変調手段に供給されるバイアス電圧の制御を行わないので、制御が複雑になることなく、簡便で安価に構成することができる効果がある。
【発明を実施するための最良の形態】
【０００９】
以下、この発明の実施の一形態を説明する。
実施の形態１．
図１はこの発明の実施の形態１による光送信器を示す構成図であり、図において、光送信器１は、入力される電気信号に応じて変調された信号光を発生するものである。
光送信器１において、電気信号入力端子２は、電気信号を入力し、駆動回路３は、入力される電気信号に応じた変調信号を発生し、バイアス回路４は、バイアス電圧を発生し、加算器５は、バイアス電圧に電気信号に応じた変調信号を重畳して印加電圧を生成するものである。以上、電気信号入力端子２、駆動回路３、バイアス回路４および加算器５により印加電圧生成手段を構成する。
光源６は、複数の波長のうちの任意に選択された波長のキャリア光を出力する、例えばＤＦＢ（Ｄｉｓｔｒｉｂｕｔｅｄ  Ｆｅｅｄｂａｃｋ  Ｌａｓｅｒ）等が適用される半導体レーザからなるものである。波長制御回路７は、光源６から波長設定情報に応じた波長のキャリア光が出力されるように、その光源６を制御するものである。以上、光源６および波長制御回路７によりキャリア光発生手段を構成する。
【００１０】
ＥＡ変調器（電界吸収型光変調手段）８は、加算器５からの印加電圧に応じて光源６により発生されたキャリア光を吸収することにより強度変調された信号光を出力するものである。
制御手段９は、波長制御回路７に所定の波長に応じた波長設定情報を出力すると共に、その所定の波長に応じたＥＡ変調器８の最適な温度条件となる温度設定情報を出力するものである。
温度制御回路（温度調整手段）１０は、温度設定情報に応じてＥＡ変調器８の温度を調整するものである。
【００１１】
次に動作について説明する。
駆動回路３は、ＥＡ変調器８のドライバ回路に相当し、電気信号入力端子２から入力される電気信号に対応した変調信号を発生する。バイアス回路４は、ＥＡ変調器８に印加するバイアス電圧を発生し、加算器５では、バイアス電圧に電気信号に応じた変調信号を重畳して印加電圧を生成し、その印加電圧をＥＡ変調器８に供給する。
制御手段９は、光源６から発生されるキャリア光が所定の波長になるように、波長制御回路７にその所定の波長に応じた波長設定情報を出力する。また、制御手段９は、ＥＡ変調器８に入力されるキャリア光の波長に最も適した温度となるような温度設定情報を温度制御回路１０に出力する。
図２は選択波長・最適温度テーブルを示す説明図である。制御手段９には、このような選択波長・最適温度テーブルが記憶されており、選択波長の中から所望の波長を一つ選択し（例えばλ３）、その選択波長λ３に応じた波長設定情報を波長制御回路７に出力する。また、制御手段９では、その選択波長λ３に応じた最適温度Ｔ３を抽出し、その最適温度Ｔ３に応じた温度設定情報を温度制御回路１０に出力する。
なお、このような選択波長・最適温度テーブルは、制御手段９内において必ずしも記憶されていなくても良く、所望の波長に応じた波長設定情報と、そのキャリア光の波長に最も適した温度となるような温度設定情報とを出力できるような構成であれば良い。
【００１２】
光源６は、例えば、内部温度に応じて発生する出力光の波長が変化する半導体レーザと、波長の変化により透過率の異なる複数の波長ロッカーと、各波長ロッカーから出力される光パワーを検出するモニタＰＤ（Ｐｈｏｔｏ  Ｄｉｏｄｅ）と、供給電流に応じて半導体レーザを吸熱または加熱するヒータ（ペルチェ素子）とを備えたものである。
波長制御回路７では、制御手段９からの波長設定情報（例えばλ３）に応じた制御電流をヒータに供給し、ヒータにより半導体レーザを吸熱または加熱する。内部温度の変化により半導体レーザから発生される出力光の波長が変化するので、各波長ロッカーを透過する出力光の光パワーも変化する。モニタＰＤでは、各波長ロッカーを透過する出力光の光パワーを検出し、波長制御回路７にフィードバックする。波長制御回路７では、複数の波長ロッカーのうち、波長設定情報に応じた波長λ３を透過する波長ロッカーの光パワー検出信号が一定になるように、ヒータに供給する制御電流を調整し、光源６から所望の波長λ３のキャリア光が発生されるように制御する。
このようにして、光源６からは、波長設定情報λ３に応じた波長のキャリア光が出力される。
【００１３】
また、ＥＡ変調器８は、例えば、供給電流に応じてＥＡ変調器８を吸熱または加熱するヒータ（ペルチェ素子）と、ＥＡ変調器８の内部温度を検出するセンサ（サーミスタ）とを備えたものである。
温度制御回路１０では、制御手段９からの温度設定情報（例えばＴ３）に応じた制御電流をヒータに供給し、ヒータにより半導体レーザを吸熱または加熱する。温度制御回路１０では、センサからのＥＡ変調器８の内部温度に応じた温度検出信号が温度設定情報Ｔ３に一定になるように、ヒータに供給する制御電流を調整する。
このようにして、ＥＡ変調器８は、温度制御回路１０により制御手段９からの温度設定情報Ｔ３に応じて温度調整される。
ＥＡ変調器８では、加算器５からの印加電圧に応じて光源６により発生されたキャリア光を吸収することにより強度変調された信号光を出力するが、この時、温度制御回路１０により、そのキャリア光の波長に最も適した温度になるように調整され、出力される信号光キャリア光の波長、バイアス条件によらずチャープ係数の変化を最小限とすることができる。
【００１４】
図３はＥＡ変調器の温度を固定にした場合と可変にした場合とのＥＡ変調器に入力されるキャリア光の波長に対する伝送特性を示す説明図であり、図３（ａ）はＥＡ変調器の温度を固定にした場合を示し、図３（ｂ）はＥＡ変調器の温度を可変にした場合を示したものである。
横軸は波長、縦軸のＱは伝送特性を表すパラメータであり、Ｑ値と言い、ビットエラーレート（ＢＥＲ：Ｂｉｔ  Ｅｒｒｏｒ  Ｒａｔｅ）に対応するものである。このＱ値が高いほど、ビットエラーレートが小さくなるので良い性能であると言える。
図３（ａ）のように、ＥＡ変調器の温度を固定にした場合では、波長変化に適応できないため、高いＱ値が得られる範囲が狭くなるが、図３（ｂ）のように、ＥＡ変調器の温度を可変にした場合では、波長の変化に応じて温度設定を変更できるため、波長変化に適応でき、広い波長範囲で高いＱ値を得ることができる。
また、Ｔｘは送信器を表し、光伝送システムに必要な帯域（例えば、波長多重システムで１５４５ｎｍ〜１５５５ｎｍの波長範囲を使用する）に対して、図３（ａ）ではＥＡ変調器の温度を固定にしているので、送信器Ｔｘが有する光源が仮に光伝送システムに必要な帯域以上に可変できる場合でも、送信器Ｔｘの使用できる波長範囲は、ＥＡ変調器の使用可能波長範囲で制限されるため、光伝送システムに必要な全帯域をカバーするためには、使用可能波長範囲が異なるＥＡ変調器を有する別の送信器Ｔｘ＃２，Ｔｘ＃３が必要となり、その分、予備数も増加することになる。一方、図３（ｂ）ではＥＡ変調器の温度を可変にしているので、使用可能波長範囲が広がるため、予備として準備する基板を減らすことができる。
【００１５】
以上のように、この実施の形態１によれば、ＥＡ変調器８に供給されるキャリア光の波長に応じて、ＥＡ変調器８を最適な温度条件に調整することにより、広い波長帯域に渡ってチャープ係数の変化を最小限とし、高い伝送品質を得ることができることから、ＥＡ変調器８の使用波長帯域を広げることができる。また、チャープ係数の変化の防止を目的として、ＥＡ変調器８に供給されるバイアス電圧の制御を行わないので、制御が複雑になることなく、簡便で安価に構成することができる。
【００１６】
実施の形態２．
図４はこの発明の実施の形態２による光送信器を示す構成図であり、図において、監視手段１１は、制御手段９により設定される温度条件を監視し、その設定される温度条件がＥＡ変調器８に設定可能な温度範囲を超えないように抑制するものである。その他の構成については図１と同等である。
【００１７】
次に動作について説明する。
監視手段１１には、ＥＡ変調器８に設定可能な温度範囲を予め指定しておき、制御手段９において、その温度範囲外の温度設定を行う制御となった場合に、その温度設定を不能とすると共に、制御異常を通知する。ＥＡ変調器８に設定可能な温度は有限であるため、このように、異常温度の設定を防止することで、信頼性の高い装置構成を実現することができる。
【００１８】
以上のように、この実施の形態２によれば、ＥＡ変調器８の温度が高過ぎたり低過ぎたりして、ＥＡ変調器８が故障してしまうことなく、信頼性の高い構成を実現することができる。
なお、この監視手段１１の機能を、制御手段９や温度制御回路１０に組み込むようにしても良い。
【００１９】
実施の形態３．
図５はこの発明の実施の形態３による光送信器を示す構成図であり、図において、制御手段１２は、波長設定情報と制御係数とを乗算して温度設定情報を生成する乗算器１３を設けたものである。その他の構成については図１と同等である。
【００２０】
次に動作について説明する。
上記実施の形態１における制御手段９は、プログラマブルな構成としたが、この実施の形態３における制御手段１２は、乗算器１３等のハードウエアにより構成することにより、構成を簡易化するものである。
上記実施の形態１で説明したように、光源６の波長制御は、光源６の内部温度を変更することにより行われ、その波長と温度との関係はほぼ線形である。また、ＥＡ変調器８も同じく、入力される波長に応じて内部温度を変更するものであり、その波長と最適温度との関係はほぼ線形であるが、その傾きは光源６の特性の傾きとは異なる。
このように、両特性はほぼ線形であり、傾きが異なるだけなので、波長設定情報の変化と温度設定情報の変化との関係が、一次関数の関係にあると見なして、波長設定情報から温度設定情報を生成する。
図５では、制御手段１２において、生成される波長設定情報に制御係数を乗算器１３で乗算することにより温度設定情報を生成している。
制御係数は、制御手段１２を設計値で予め製作し、実験等を行うことにより得ることができる。
【００２１】
以上のように、この実施の形態３によれば、制御手段１２を、波長設定情報に所定の制御係数を乗じて温度設定情報を生成するような、ハードウエアで構成することができ、簡易な構成であるため、信頼性の高い構成を実現することができる。
【００２２】
実施の形態４．
図６はこの発明の実施の形態４による光伝送システムを示す構成図であり、図において、端局装置（第１の端局装置）２０は、波長の異なる信号光を送信する複数の光送信器（第１の光送信器）２１、波長の異なる信号光を受信する複数の光受信器（第１の光受信器）２２、光合波器２３および光分波器２４を有するものである。
また、端局装置（第２の端局装置）３０は、波長の異なる信号光を送信する複数の光送信器（第２の光送信器）３１、波長の異なる信号光を受信する複数の光受信器（第２の光受信器）３２、光合波器３３および光分波器３４を有するものである。
なお、光送信器２１，３１は、上記実施の形態１から上記実施の形態３のうちのいずれかの光送信器１が適用されるものとする。
光合波器２３および光分波器３４間は、光伝送路（第１の光伝送路）２５および光増幅器２６により接続され、光合波器３３および光分波器２４間は、光伝送路（第２の光伝送路）２７および光増幅器２８により接続されたものである。
【００２３】
次に動作について説明する。
図６に示した光伝送システムでは、端局装置２０，３０の両局に光送信器および光受信器の両方が設置され、対向構成でシステムが構成されている。
端局装置２０において、複数の光送信器２１から送信された波長の異なる複数の信号光は、光合波器２３で合波され、光伝送路２５で端局装置３０に伝送される。端局装置３０において、信号光は光分波器３４で分波され、複数の光受信器３２でそれぞれ受信される。
また、端局装置３０において、複数の光受信器３２と複数の光送信器３１は接続されており、複数の光送信器３１では、複数の光受信器３２から受けた情報を信号光として送信することができ、送信された波長の異なる複数の信号光は、光合波器３３で合波され、光伝送路２７で端局装置２０に伝送される。端局装置２０において、信号光は光分波器２４で分波され、複数の光受信器２２でそれぞれ受信される。
さらに、端局装置２０において、複数の光受信器２２と複数の光送信器２１は接続されており、複数の光送信器２１では、複数の光受信器２２から情報を受けることができる。
なお、光伝送路２５，２７の伝送路長が長い場合には、合波された信号光は、光増幅器２６，２８により増幅される。
【００２４】
以上のように、この実施の形態４によれば、上記実施の形態１から上記実施の形態３のうちのいずれかの光送信器１を光伝送システムに適用するようにしたので、上記実施の形態１から上記実施の形態３の光送信器と同様な効果を奏する光伝送システムを得ることができる。
【００２５】
実施の形態５．
図７はこの発明の実施の形態５による光伝送システムに適用される光送信器を示す構成図であり、図において、ＦＥＣ（Ｆｏｒｗａｒｄ  Ｅｒｒｏｒ  Ｃｏｒｒｅｃｔｉｏｎ）符号化手段１５は、符号化した伝送情報に誤り訂正符号を付加して、電気信号入力端子２に電気信号として入力するものである。
監視制御手段１６は、光送信器１の監視制御を行うものである。監視制御手段１６は、同じ端局装置内の光受信器が対向する端局装置から受信した情報、例えば、伝送誤り情報を受け、その受けた伝送誤り情報をＦＥＣ符号化手段１５や制御手段１７に出力可能にするものである。
制御手段１７は、上記実施の形態２の制御手段９の機能の他、その入力される伝送誤り情報に応じて温度条件を設定し、温度設定情報を出力する機能を加えたものである。
【００２６】
図８はこの発明の実施の形態５による光伝送システムに適用される光受信器を示す構成図であり、図において、受光部４２は、信号光を電気信号に変換するものであり、識別再生部４３は、変換された電気信号の識別再生を行うものであり、ＦＥＣ復号化手段４４は、識別再生された電気信号の復号化を行うものであり、ビットエラーモニタ４５は、復号した信号の誤り訂正時の誤り訂正数をモニタし、伝送誤り情報を生成するものである。監視制御手段４６は、光受信器４１の監視制御を行うものである。監視制御手段４６は、同じ端局装置内の光送信器に、ビットエラーモニタ４５により生成された伝送誤り情報を渡したり、対向する端局装置から受信された伝送誤り情報を渡したりするものである。
なお、図７に示した光送信器１、図８に示した光受信器４１は、図６に示した光伝送システムの光送信器２１，３１および光受信器２２，３２としてそれぞれ適用されるものである。
【００２７】
次に動作について説明する。
図７において、端局装置２０の光送信器２１におけるＦＥＣ符号化手段１５は、符号化した伝送情報に誤り訂正符号を付加して、電気信号入力端子２に電気信号として入力する。
図６において、光送信器２１から送信される信号光は、光合波器２３で合波され、光伝送路２５で端局装置３０に伝送される。端局装置３０において、信号光は光分波器３４で分波され、光受信器３２で受信される。
図８において、受光部４２では、受信される信号光を電気信号に変換し、識別再生部４３では、変換された電気信号の識別再生を行い、ＦＥＣ復号化手段４４では、識別再生された電気信号の復号化を行う。この際、復号される電気信号は光伝送路２５で受けた雑音等の様々な作用の影響のため、エラーを含む場合がある。ＦＥＣ復号化手段４４では、復号した信号の誤り検出および誤り訂正を行う。また、ビットエラーモニタ４５では、復号される信号の誤り訂正時の誤り訂正数をモニタし、伝送誤り情報を生成する。
【００２８】
図９は誤り訂正符号のデータ例を示す説明図である。ここでは、誤り訂正方式として、ＩＴＵ−Ｔ  Ｇ．９７５で定義される訂正符号ＲＳ（Ｒｅｅｄ  Ｓｏｌｏｍｏｎ）（２５５，２３９）を例として説明する。ＲＳ（２５５，２３９）は、光送信器２１のＦＥＣ符号化手段１５において、２３９バイトの伝送情報に対して、１６バイトの誤り訂正符号を付加して送信し、光受信器３２では、この２５５バイト（２３９＋１６バイト）のデータから、誤り検出および誤り訂正を行う。
図１０は誤り訂正における処理の流れを示す説明図である。
図９で示したフォーマットで送信されたデータは、光受信器３２のＦＥＣ復号化手段４４において、光送信器２１のＦＥＣ符号化手段１５で符号化のために適用された生成多項式と同一の生成多項式による演算が行われる。ＲＳ（２５５，２３９）の場合、この演算によって、２５５シンボルの内、誤りを含むものが８シンボル以内であれば、その誤りを含んだシンボルの位置および該当シンボル内の誤りビット位置を特定することができる。このように、ビット誤りが発生している位置を特定する操作を誤り検出と言う。また、誤り検出によって位置が特定された誤りビットを反転し、誤り訂正し、さらに、ビットエラーモニタ４５では、反転を行ったビット数をカウントし、誤り訂正数からなる伝送誤り情報を生成する。
【００２９】
図８において、監視制御手段４６は、同じ端局装置３０内の光送信器３１に、ビットエラーモニタ４５により生成された伝送誤り情報を渡す。
図７において、端局装置３０の光送信器３１における監視制御手段１６は、伝送誤り情報を受け、その受けた伝送誤り情報をＦＥＣ符号化手段１５に出力する。ＦＥＣ符号化手段１５は、伝送誤り情報を符号化して電気信号入力端子２に電気信号として入力する。
図６において、光送信器３１から送信される信号光は、光合波器３３で合波され、光伝送路２７で端局装置２０に伝送される。端局装置２０において、信号光は光分波器２４で分波され、光受信器２２で受信される。
図８において、受光部４２、識別再生部４３、ＦＥＣ復号化手段４４を通じて伝送誤り情報が復号され、監視制御手段４６は、同じ端局装置２０内の光送信器２１に、その復号された伝送誤り情報を渡す。
図７において、端局装置２０の光送信器２１における監視制御手段１６は、伝送誤り情報を受け、その受けた伝送誤り情報を制御手段１７に出力する。
制御手段１７では、その入力される伝送誤り情報に応じて温度条件を設定し、その温度条件に応じた温度設定情報を出力する。この制御手段１７における伝送誤り情報に応じた温度条件の設定手法としては、伝送情報を伝送して伝送誤り情報が得られる毎に、温度条件を僅かに増減して誤り訂正数が最小となるような温度条件になるように制御したり、また、得られる誤り訂正数が所定数以上の場合に、温度条件を僅かに増減して誤り訂正数が所定数未満になるような温度条件になるように制御する手法等がある。
【００３０】
以上のように、この実施の形態５によれば、制御手段１７において、伝送誤り情報に応じて誤り訂正数が最小となるような温度条件を設定するようにしたので、実際の情報伝送時の状態に即して温度条件を設定できるので、伝送品質の高い光伝送システムを得ることができる。
なお、この実施の形態５では、光伝送路２５による伝送誤りが最小となるように光送信器２１の温度条件を設定したが、光伝送路２７による伝送誤りが最小となるように光送信器３１の温度条件を設定しても良く、さらに、光送信器２１，３１の両温度条件を同時に設定するようにしても良い。
【図面の簡単な説明】
【００３１】
【図１】この発明の実施の形態１による光送信器を示す構成図である。
【図２】選択波長・最適温度テーブルを示す説明図である。
【図３】ＥＡ変調器の温度を固定にした場合と可変にした場合とのＥＡ変調器に入力されるキャリア光の波長に対する伝送特性を示す説明図である。
【図４】この発明の実施の形態２による光送信器を示す構成図である。
【図５】この発明の実施の形態３による光送信器を示す構成図である。
【図６】この発明の実施の形態４による光伝送システムを示す構成図である。
【図７】この発明の実施の形態５による光伝送システムに適用される光送信器を示す構成図である。
【図８】この発明の実施の形態５による光伝送システムに適用される光受信器を示す構成図である。
【図９】誤り訂正符号のデータ例を示す説明図である。
【図１０】誤り訂正における処理の流れを示す説明図である。
【符号の説明】
【００３２】
１  光送信器、２  電気信号入力端子（印加電圧生成手段）、３  駆動回路（印加電圧生成手段）、４  バイアス回路（印加電圧生成手段）、５  加算器（印加電圧生成手段）、６  光源（キャリア光発生手段）、７  波長制御回路（キャリア光発生手段）、８  ＥＡ変調器（電界吸収型光変調手段）、９，１２，１７  制御手段、１０  温度制御回路（温度調整手段）、１１  監視手段、１３  乗算器、１５  ＦＥＣ符号化手段、１６，４６  監視制御手段、２０  端局装置（第１の端局装置）、２１  光送信器（第１の光送信器）、２２  光受信器（第１の光受信器）、２３，３３  光合波器、２４，３４  光分波器、２５  光伝送路（第１の光伝送路）、２６，２８  光増幅器、２７  光伝送路（第２の光伝送路）、３０  端局装置（第２の端局装置）、３１  光送信器（第２の光送信器）、３２  光受信器（第２の光受信器）、４２  受光部、４３  識別再生部、４４  ＦＥＣ復号化手段、４５  ビットエラーモニタ。
【図１】
2005045548.tif 000003
【図２】
2005045548.tif 000004
【図３】
2005045548.tif 000005
【図４】
2005045548.tif 000006
【図５】
2005045548.tif 000007
【図６】
2005045548.tif 000008
【図７】
2005045548.tif 000009
【図８】
2005045548.tif 000010
【図９】
2005045548.tif 000011
【図１０】
2005045548.tif 000012